(57)【要約】      （修正有）【課題】ヨット型の帆走体をホテルのプール不使用時に、観賞用として自然の風で連続帆走させる水上帆走玩具を提供する。【解決手段】船体１３の舳先１４で喫水線１５より下側に糸留具１６を取付けた帆走体１２と、前記帆走体１２を浮かべるプール１１の底部の任意箇所に設置する支持錘２７と、前記帆走体１２の糸留具１６と支持錘２７の糸環部２８とを繋ぐ連結テグス３０の中間に糸絡み防止用の縒り戻し金具３１を取付ける。さらに、前記帆走体１２のメインセール１７のブーム１９とラダー２０を操作するテイラー２１とを連結部材２３で結び、前記ラダー２０の角度を規制する制御部を前記テイラー２１の基部付近に取付ける。【選択図】図１
0003164488.tif 000002
【実用新案登録請求の範囲】
【請求項１】
船体（１３）の舳先（１４）であって喫水線（１５）の下部に糸留具（１６）を取付けた帆走体（１２）と、
前記帆走体（１２）を浮かべるプール（１１）の底部の任意箇所に設置する支持錘（２７）と、
前記帆走体（１２）の糸留具（１６）と前記支持錘（２７）の糸環部（２８）とを繋ぐ連結テグス（３０）の中間に糸絡み防止用の縒り戻し金具（３１）を取付けてなることを特徴とする水上帆走玩具。
【請求項２】
前記帆走体（１２）は、船底中央にセンターボード（２２）有し、マスト（２４）にはメインセール（１７）若しくはメインセール（１７）とジブセール（１８）を設け、前記メインセール（１７）のブーム（１９）と、舵であるラダー（２０）を操作するテイラー（２１）とを連結部材（２３）で結び、前記ラダー（２０）の操舵角度を規制する制御部（３４）をテイラー（２１）の基部付近に取付けてなることを特徴とする請求項１記載の水上帆走玩具。
【請求項３】
前記制御部（３４）は、左右対称に形成したＬ字形の固定片（３６）と可動片（３８）とからなり、前記固定片（３６）の基部（３７）をラダー（２０）の軸部付近に樹立させた支持軸（３５）に固定し、該固定片の基部（３７）に前記可動片（３８）の基部（３９）に設けた凹溝部（３９ａ）を係合し、該凹溝部の中心に、ばね（４１）を巻装した係止ピン（４０）を挿通して前記可動片（３８）を枢動可能に付勢して軸支したことを特徴とする請求項１または２記載の水上帆走玩具。
【請求項４】
船体（１３）の舳先（１４）であって喫水線（１５）の下部に糸留具（１６）を取付けた帆走体（１２）と、
前記帆走体（１２）を浮かべるプール（１１）の底部の任意箇所に間隔を存して設置する二個の支持錘（４５、４５）と、
前記二個の支持錘（４５、４５）の間に連結した遊動テグス（４８、５３）の中間に、前記帆走体（１２）に一端を連結した連結テグス（４９）の他端を連結し、該連結テグスの中間部分に糸絡み防止用の縒り戻し金具（５０）を取付けてなることを特徴とする水上帆走玩具。
【請求項５】
前記帆走体（１２）は、船底中央にセンターボード（２２）有し、マスト（２４）にはメインセール（１７）若しくはメインセール（１７）とジブセール（１８）を取付け、前記メインセール（１７）のブーム（１９）と、舵であるラダー（２０）を操作するテイラー（２１）とを連結部材（２３）で結び、前記ラダー（２０）の操舵角度を規制する制御部（３４）を前記テイラー（２１）の基部付近に取付けてなることを特徴とする請求項４記載の水上帆走玩具。
【請求項６】
前記制御部（３４）は、左右対称に形成したＬ字形の固定片（３６）と可動片（３８）とからなり、前記固定片（３６）の基部（３７）をラダー（２０）の軸部付近から樹立させた支持軸（３５）に固定し、該固定片の基部（３７）に前記可動片（３８）の基部（３９）に設けた凹溝部（３９ａ）を係合し、該凹溝部の中心に、ばね（４１）を巻装した係止ピン（４０）を挿通して前記可動片（３８）を枢動可能に付勢して軸支したことを特徴とする請求項４または５記載の水上帆走玩具。
【請求項７】
前記二個の支持錘（４５、４５）の間に取付けた遊動テグス（４８、５３）に移動可能な遊動金具（５３）を取付け、前記帆走体（１２）に一端を連結した連結テグス（４９）の他端を前記遊動金具（５３）に連結してなることを特徴とする請求項４ないし６のいずれか１記載の水上帆走玩具。
【考案の詳細な説明】
【技術分野】
【０００１】
本考案は、本物のヨットをスケールダウンした、例えば、ラジコンで動く小型ヨットをプールに浮べ、自然の風を受けながら連続して帆走し続ける様を楽しむ水上帆走玩具に関する。
【背景技術】
【０００２】
従来、本物のヨットは高価で簡単に楽しむことはできないが、本物のヨットをスケールダウンした小型ヨット、例えば、ラジコン用ヨットやスケールモデルヨットなどを池や川に浮かべて操縦して遊ぶことが広く楽しまれている。
【０００３】
一方、ホテルのプールまたは個人の庭に作ったプールや池などは、夏のシーズンが終わった後、使用する機会がないため魚を放したり、防火用水として水を溜めて利用するのが殆どである。
【０００４】
また、糸に吊るした浮遊体としては、ガスが入った浮遊物を糸で連結して空中に浮かせて風の流れで動くものや、川に浮かべた浮遊物を糸で結んで川の流れで操作するものが知られている（例えば、技術文献１、２）。しかし、浮遊体を人がコントロールすることなく、風の力を利用して本物のヨットと同じように連続して帆走し続けるヨット型の浮遊物玩具はなく、また、シーズンオフのプールに浮遊物を浮かべて観賞するディスプレーとしての技術思想もなかった。
【先行技術文献】
【特許文献】
【０００５】
【特許文献１】実開平０７−３７６９５号
【特許文献２】実用新案登録第３１１３４７４号
【０００６】
前記実開平０７−３７６９５号のモビールは、空中や水槽に入れて揺れるだけで変化がなく面白みに欠ける。また、実用新案登録第３１１３４７４号は、人が操作しなければならず自然の状態のままでは流されてしまい観賞することができなかった。
【考案の概要】
【考案が解決しようとする課題】
【０００７】
ヨット型の浮遊物（以下、帆走体という）をホテルなどの四角い形状をしたプールに浮かべただけでは、風任せで帆走をコントロールすることができず、また、帆走体が風に流されるとプールサイドに吹き寄せられると動かなくなる。さらには、池の場合は岸辺に漂着したままという状態になりやすい。そのため、水面上を自由に連続して帆走している状態の帆走体を観賞することができないという問題点があった。
【０００８】
また、帆走体は、帆走をコントロールすることができないと、例えば、高価なヨット型の帆走体が風に流されてプールサイドに衝突したり、また、岸辺に吹き寄せられた帆走体をそのままにしておくと盗まれるおそれがあるなどの多くの問題点を有している。
【０００９】
そこで、シーズンオフのホテルのプールを有効利用するため、前記したヨット型の帆走体玩具をプールに浮かべ、本物のヨットと同様に風の力を利用して連続してセーリングさせることにより、ホテルのプールを一種のディスプレーとして観賞して楽しむことができるため客寄せともなり、また、個人の家の庭に設けたプールでは、庭の装飾の一つとして利用することを目的とするものである。
【課題を解決するための手段】
【００１０】
上記課題を達成するため、本考案の請求項１は、船体１３の舳先１４であって喫水線１５の下部に糸留具１６を取付けた帆走体１２と、前記帆走体１２を浮かべるプール１１の底部の任意箇所に設置する支持錘２７と、前記帆走体１２の糸留具１６と前記支持錘２７の糸環部２８とを繋ぐ連結テグス３０の中間に糸絡み防止用の縒り戻し金具３１を取付けてなることを特徴とする。また、前記帆走体１２は、船底中央にセンターボード２２設け、マスト２４にはメインセール１７若しくはメインセール１７とジブセール１８を取付け、前記メインセール１７のブーム１９と、舵であるラダー２０を操作するテイラー２１とを連結部材２３で結び、前記ラダー２０の操舵角度を規制する制御部３４をテイラー２１の基部付近に取付けてなることを特徴とする。さらには、前記制御部３４は、左右対称に形成したＬ字形の固定片３６と可動片３８とからなり、前記固定片３６の基部３７をラダー２０の軸部付近に樹立させた支持軸３５に固定し、該固定片の基部３７に前記可動片３８の基部３９に設けた溝部３９ａを係合し、前記基部３７の中心で溝部３９ａと直角方向に、ばね４１を巻装した係止ピン４０を挿通して前記可動片３８を枢動可能に付勢して軸支したことを特徴とする。
【００１１】
したがって、プール１１の中央に沈めた支持錘２７と帆走体１２とを繋ぐ連結テグス３０は、水に対して透過性を有しているため水面上からは見えない。そのため、風の力で連続帆走する帆走体１２は、テイラー２１の基部付近に取付けた制御部３４によりラダー２０の角度とメインセール１７の開きを規制したことにより、あたかも本物のヨットと同様に人が乗って操船しているのと同様な動き（アビーム、クロスホールド）をさせることができるので、シーズンオフのプール１１でヨットが自由にセーリングしている様をディスプレーとしてお客様に十分に楽しんでもらうことができる。また、前記連結テグス３０は、中間に縒り戻し金具３１を連結してあるため、帆走体１２がどの方向に帆走しても連結テグス３０が絡まって切れたり、また、テグスが絡まって長さが短くなり帆走体の動きが単調になるのを防止することもできる。
【００１２】
請求項４の考案は、船体１３の舳先１４であって喫水線１５の下部に糸留具１６を取付けた帆走体１２と、前記帆走体１２を浮かべるプール１１の底部の任意箇所に間隔を存して設置する二個の支持錘４５、４５と、前記二個の支持錘４５、４５の間に連結した遊動テグス４８、５３に、前記帆走体１２に一端を連結した連結テグス４９の他端を連結し、該連結テグスの中間部分に糸絡み防止用の縒り戻し金具５０を取付けてなることを特徴とする。また、前記帆走体１２は、船底中央にセンターボード２２有し、マスト２４にはメインセール１７若しくはメインセール１７とジブセール１８を取付け、前記メインセール１７のブーム１９と、舵であるラダー２０を操作するテイラー２１とを連結部材２３で結び、前記ラダー２０の操舵角度を規制する制御部３４を前記テイラー２１の基部付近に取付けてなることを特徴とする。さらには、前記制御部３４は、左右対称に形成したＬ字形の固定片３６と可動片３８とからなり、前記固定片３６の基部３７をラダー２０の軸部付近から樹立させた支持軸３５に固定し、該固定片の基部３７に前記可動片３８の基部３９に設けた溝部３９ａを係合し、前記基部３７の中心で溝部３９ａと直角方向に、ばね４１を巻装した係止ピン４０を挿通して前記可動片３８を枢動可能に付勢して軸支したことを特徴とする。さらにはまた、前記二個の支持錘４５、４５の間に取付けた遊動テグス４８、５３に移動可能な遊動金具５３を取付け、前記帆走体１２に一端を連結した連結テグス４９の他端を前記遊動金具５３に連結してなることを特徴とする。
【００１３】
したがって、プール１１に沈めた支持錘４５と支持錘４５との間に遊動テグス４８、５３を緊張または弛ませて連結し、該遊動テグスに連結テグス４９の一端を連結、または遊動テグス４８、５３に取付けた遊動金具５２に連結テグス４９を取付けることにより、支持錘４５と支持錘４５の間の中心線から対象方向に弛ませた分または遊動金具５２が移動する範囲で帆走させることができるため、より広い範囲で帆走体１２をセーリングさせることができる。遊動テグス４８、５３と帆走体１２とを繋ぐ連結テグス４９は水に対して透過性を有しているので水面上からは見えず、帆走体１２は、テイラー２１に取付けた制御部３４によりラダー２０の角度とメインセール１７の開き角度を規制させたことにより、あたかも本物のヨットと同様に人が乗って操船しているのと同様な動き（アビーム、クロスホールド）を連続して帆走させることができるので、シーズンオフのプールを利用してお客様に十分に楽しんでもらうことができる。また、前記連結テグス４９は、中間には縒り戻し金具５０を介して連結してあるため、帆走体１２がどの方向に帆走しても連結テグス３０が絡まって切れたり、また、テグスが絡まって長さが短くなり帆走体の動きが単調になるのを防止することもできる。
【図面の簡単な説明】
【００１４】
【図１】帆走体と支持錘とを連結テグスで連結してプールに浮かべた状態を示す帆走体玩具の説明図である。
【図２】一つの支持錘を中心とした帆走体の帆走方向を示す平面図である。
【図３】帆走体に取付けた制御部の平面図である。
【図４】制御部の要部拡大図である。
【図５】図５のＡ―Ａ線断面図である。
【図６】帆走体がタッキングを繰り返して風上に向かう状態を示す説明図である。
【図７】二つの支持錘の間に張った第１遊動テグスに連結テグスを結んだ帆走体の帆走範囲を示す平面図である。
【図８】一端を帆走体に連結した連結テグスの他端に取付けた遊動金具を第１遊動テグスに取付けて帆走させた場合の帆走範囲を示す平面図である。
【図９】一端を帆走体に連結した連結テグスの他端に取付けた遊動金具を第２遊動テグスに取付けて帆走させた場合の帆走範囲を示す平面図である。
【考案を実施するための形態】
【００１５】
本考案の実施の形態を図面に基づいて説明すると、図１は本考案にかかる帆走体と支持錘とを連結テグスで連結してプールに浮かべた状態を示す帆走体玩具の説明図、図２は一つの支持錘を中心とした帆走体の帆走方向を示す平面図、図３は風向きによる帆走体の進行方向を示す模式図、図４は帆走体に取付けた制御部の平面図、図５は制御部の要部拡大図、図６は図５のＡ―Ａ線断面図、図７は帆走体がタッキングを繰り返して風上に向かう状態を示す説明図である。本考案に係る第１の実施の形態を示す水上帆走玩具１０は、本物のヨットをスケールダウンしたヨット型の帆走体１２と、プール１１に沈める支持錘２７と、該支持錘と前記帆走体１２とを繋ぐ連結テグス３０とにより構成されている。
【００１６】
帆走体１２は、図１に示すごとく、主にラジコン用ヨットやスケールモデルヨット、または手作りのヨットなどからなり、帆走体１２の大きさは、浮かべるプールの大きさによって自由に形成することができる。また、帆走体１２は、船体１３の舳先１４であって喫水線１５の下側部分（水上から見えない位置）に前記連結テグス３０の一端を結ぶ糸留具１６を取付けてある。
【００１７】
前記帆走体１２は、リアリティ感を出すために市販のラジコン用ヨットが好ましく、全長が６００ｍｍから１５００ｍｍ程度のもの、好ましく、９８０ｍｍ程度の長さのものが最適である。帆走体１２は、本物と同じように船底の中央にセンターボード２２を取付け、中央のマスト２４にはメインセール１７だけのもの、またはメインセール１７とジブセール１８を有するものなど、それぞれ好みに応じた型式のヨットモデルを使用する。
【００１８】
前記帆走体１２は、前記メインセール１７のブーム（横桁）１９と、ラダー（舵）２０を操作するテイラー（梶棒）２１を連結部材２３で結んで連動可能に取付け、該テイラーの基部付近にテイラー２１の操作幅を規制する制御部３４を取付けてある。通常ヨットは、メインセール１７のメインシート（セールを風に合わせて出し入れするロープ）を操作する人（スキッパー）がいるため、メインセール１７の方向とラダーの方向を自由に変えて操船することが出来る。しかし、帆走体１２は、前記メインセール１７のブーム１８とテイラー２１とを連結部材２３により連結してあるため、メインセール１７の広がり角度はテイラー２１を介してラダー２０と同じ角度で作動する。前記連結部材２３は、合成繊維糸または針金などを使用して連結し、ブーム１８の動きにテイラー２１が容易に連動できるようにしてある。
【００１９】
帆走体１２のテイラー２１に制御部３４を取付けてラダー２０をコントロールしないと、例えば、メインセール１７が船体１３と直角方向に近い（ランニング）状態に広がると、テイラー２１に引張られたラダー２０は同じく大きく曲がって帆走体１２が回転してしまい帆走できなくなる。また、メインセール１７を操作するメインシートがないため、風に対するメインセールの方向とラダーの方向をコントロールするのが困難であるため、安定した風を受けることができない。
【００２０】
そこで、テイラー２１の基部近くに前記制御部３４を取付け、ラダー２０の軸部２０ａを支点としてテイラー２１の操作幅を規制することにより、ラダーが大きく曲がるのを防止すると共にメインセール１７の広がり角度を規制することができるので、安定して風を受けることができる。したがって、図7に示すごとく、帆走体１２が風上方向に向かってスムースにタッキングを繰り返して帆走可能に形成してある。
【００２１】
前記制御部３４は、図３、４、５に示すごとく、Ｌ字型の左右対称に形成した固定片３６と可動片３８とからなり、ラダー２０の軸部２０ａとマスト２４との直線上で、軸部２０ａ寄りに取付けた支持軸３５の上端に、前記固定片３６の基部３７を固着し、前記可動片３８の基部３９に設けた溝部３９ａを、前記固定片３６の基部３７に係合させて全体をＵ字状に形成し、該可動片と固定片３６の基部３７、３９の中心で、前記溝部３９ａと直角方向に係止ピン４０を挿通して可動片３８を枢動可能に軸支し、前記係止ピン４０に巻装したばね４１で前記可動片３８を内側方向に付勢して取付けてある。
【００２２】
図４に示すごとく、制御部３４の固定片３６と可動片３８とでＵ字形に形成した凹溝部Ｘにテイラー２１を挿通することにより、ラダー２０の軸部２０ａを支点として凹溝部の幅Ｘの範囲でテイラー２１が左右動する。前記制御部３４でメインセール１７とラダー２０との広がり角度をコントロールすることにより、あたかもメインセール１７をメインシートで操作するのと同じ効果（帆走体のメインセール１７をクロスホールドからアビームの範囲）を発揮させることができる。この制御部３４の取付け位置は、ラダー２０の軸部寄りにすると操作幅が大きく、マスト寄りにするとテイラー２１の操作幅を小さくすることができる。
【００２３】
前記制御部３４は、可動片３８をばね４１で外方向に枢動可能に付勢させたことにより、帆走中の帆走体１２のメインセール１７に想定外の強い風を受けたときに帆走体１２が転覆するのを防止している。前記制御部３４の凹溝幅Ｘを固定したままの状態だと、想定外の強い風がメインセール１７に当たったとき、テイラー２１が前記凹溝幅Ｘ以上に開かないため、メインセール１７に風がまともに当たり、風を逃がすことができないため帆走体１２が転覆するおそれがある。そこで、制御部３４の可動片３８をばね４１で付勢して外方向に枢動可能に形成したことにより、想定外の強い風を受けた場合、メインセールに引張られたテイラー２１がばね４１の弾発力に抗して可動片３８を枢動させて凹溝幅Ｘ以上に拡げることにより、メインセール１７が広がって風を逃がすことができるため、帆走体１２の転覆を防止することができる。  
【００２４】
プール１１の底部に設置する支持錘２７は、コンクリート製または金属製で、帆走体１２が風に吹かれて帆走したときに移動しない程度の重さを有するものとし、この支持錘２７の上部に前記連結テグス３０の一端を結ぶ環状の糸環部２８を設け、前記支持錘２７の表面全体をプール１１の底面と同色に着色してある。表面全体をプール１１の底面と同一色に着色することにより、水面上から支持錘２７を見えにくくしてある。
【００２５】
連結テグス３０は、合成繊維糸であるナイロン材やフロロカーボン材からなり、合成繊維糸の径は、帆走体１２の帆走力では切れ難い２号から４号の太さのものを使用する。この連結テグス３０は、一端をプール１１の中央に沈める支持錘２７の糸環部２８に結び、他端を帆走体１２の糸留具１６に結んで連結して使用する。また、この連結テグス３０は、水に対して透過性を有しているため水面上から見えないので、帆走体１２が風に吹かれて自由に連続帆走する様が（帆走体を誰かがラジコン操作して帆走させているように見える）本物のヨットが帆走しているように見せることができる。
【００２６】
連結テグス３０の長さは、使用するプール１１の大きさにより調節可能に形成し、例えば、プール１１に沈めた支持錘２７と帆走体１２がプールサイドに衝突しない長さ、若しくは、プールサイドから人間の手が届かない長さに調節する。
【００２７】
前記縒り戻し金具３１は、前記した帆走体１２の糸留具１６と支持錘２７とを連結した連結テグス３０の中間に連結して使用する。縒り戻し金具３１を連結テグス３０の中間に取付けることにより、前記帆走体１２の帆走中に連結テグス３０が絡まって切れたり、テグスが絡まって長さが短くなり帆走体の動きが単調になるのを防止することもできる。この縒り戻し金具３１は、市販の縒り戻し金具を使用し、長手方向の中央に設けた胴部３２の両端にテグスを連結する環部３３をそれぞれ回転可能に取付けてなり、この縒り戻し金具３１の環部３３が自由に回転して連結テグス３０のよじれや絡まりが生じることを防止している。
【００２８】
本考案の第１の実施の形態の作用について説明すると、水上帆走玩具１０は、プール１１の底部に設置する支持錘２７の糸環部２８に連結テグス３０の一端を結び、他端を帆走体１２の舳先１４側で喫水線１５の下側に取付けた糸留具１６に連結して浮かべる。プール１１に浮かんだ帆走体１２は、糸留具１６が喫水線１５の下側部分に位置し、連結テグス３０は透過性を有するため水面上からは糸留具１６と連結テグス３０が見えず、また、前記支持錘２７もプールの底面に塗布したペンキと同一色に着色してあるため水上からは見え難くい。したがって、帆走体１２はあたかも本物のヨットが自然に水面に浮かんで連続帆走しているように見せることができる。
【００２９】
この帆走体１２の連続帆走は、ラダー２０の軸部２０ａを支点としてテイラー２１に取付けた連結部材２３と制御部３４で、メインセール１７の広がり角度とラダー２０の角度を同一角度に規制することにより、本物のヨットと同様に風向きに対応してメインセール１７が動いて（アビーム、クロスホールド）連続帆走を可能にしてある。
【００３０】
例えば、図２に示すごとく、矢印方向から帆に風を受けた場合、プール１１の中央付近に浮かんだ帆走体１２のメインセール１７は、テイラー２１に取付けた制御部３４により操作幅が規制されるため、大きく帆が開かずにいわゆるアビームまたはクロスホールドの角度で帆走させることができる。さらには、図６に示すごとく、帆走体１２が風上方向に向かった場合、スムースにタッキングを繰り返して帆走可能にすることができる。
【００３１】
帆走体１２は、風が常に同一方向から吹けば、前記した軌跡を繰り返しながら自由に帆走するが、風向きや風の強弱は自然現象であるため常に変化し、帆走体１２は微妙に変化しながら支持錘２７を中心に連結テグス３０で結ばれている範囲を自由に連続帆走し、また、帆走体１２がプールサイドに近づくと、舳先１４に一端が連結された連結テグス３０により左右いずれかの方向に引っ張られて方向転換し、方向転換する方向は、風向きや帆走体１２の重心位置などにより変化し、左右いずれかに転換すると、帆走体１２の船体１３が風向きと直角方向に位置してメインセール１７が船体１３と並行からやや開いたいわゆるアビーム状態になって風上方向に帆走する。
【００３２】
したがって、シーズンオフのプールに帆走体１２を浮かべて連続帆走させると、見ている人は「どうやって帆走させているか」と不思議に感じさせることができるので、お客様の目を十分に楽しませることができる。また、帆走体１２は連結テグス３０で支持錘２７と連結してあるため、プールサイドに衝突するのを防止することができると共に、連結テグス３０が伸びきった状態でもプールサイドから帆走体１２に人の手が届かない距離に長さを設定してあるので盗難を防止することもできる。
【００３３】
本考案の第２の実施の形態に示す水上帆走具を図７に基づいて説明すると、水上帆走具４０は、同形に形成した二個の支持錘４５、４５と、該支持錘と支持錘の間に弛ませて連結する第１遊動テグス４８と、プール１１を帆走する帆走体１２と、該帆走体と第１遊動テグス４８とを連結する連結テグス４９と、該連結テグスの中間に取付ける縒り戻し金具５０とにより構成されている。
【００３４】
前記支持錘４５は、第１の実施の形態と同じ重さと形状のものを使用し、第１遊動テグス４８は、前記連結テグス３０と同じ径のものを使用し、遊動テグス４８と帆走体１２を繋ぐ連結テグス４９は、前記連結テグス３０と同じものを使用し、縒り戻し金具５０は、前記より戻し３１と同じものを使用し、帆走体１２の形状および制御部３４は、前記第１の実施の形態の帆走体１２と同じであるためここでの説明を省略する。
【００３５】
図７に示すごとく、二個の支持錘４５、４５を任意間隔でプール１１の底面に配置し、支持錘と支持錘の間に第１遊動テグス４８を弛ませて連結する。この第１遊動テグス４８を弛ませることにより、支持錘４５と支持錘４５の中心線から対象方向に遊動範囲を広げることができるので、全体として第１遊動テグス４８の遊動範囲と連結テグス４９の長さ分（略楕円形の範囲）広くすることができる。したがって、第１の実施の形態の水上帆走具１０より帆走体１２の帆走範囲を広くすることができる。
【００３６】
図８は前記水上帆走具４０の第２の実施の形態で、二個の支持錘４５、４５と、該支持錘と支持錘の間に弛ませて連結した第１遊動テグス４８上を移動する遊動金具５２、例えば、滑車を取付け、該遊動金具と帆走体１２の糸留具１６に一端を結んだ連結テグス４９の他端を結んで形成してある。
【００３７】
遊動金具５２を第１遊動テグス４８上で移動可能に取付けたことにより、、帆走体１２が第１遊動テグス４８の幅方向へ移動が可能となることから、帆走範囲を楕円形から円形に近づけることができ、より広い範囲を帆走させることができる。また、前記第１遊動テグス４８に連結した連結テグス４９の中間に縒り戻し金具５０が取付けられているのは勿論である。
【００３８】
図9は、前記水上帆走具４０の第３の実施の形態を示すもので、プールの大きさに合わせて二個の支持錘４５、４５の間隔を任意に決め、該支持錘と支持錘の間に第２遊動テグス５３を緊張させて連結し、該第２遊動テグスに前記遊動金具５２を移動可能に取付けると共に、第２遊動テグス５３の両端にそれぞれストッパ５４を取付けて前記遊動金具５２が支持錘４２に当たらないようにしてある。
【００３９】
前記遊動金具５２は、前記第２の実施の形態に示す遊動金具５２と同じものであるため、ここでの説明を省略するが、前記遊動金具５２に、帆走体１２に一端を結んだ連結テグス４９の他端を結ぶことにより、帆走体１２が第２遊動テグス４５の幅方向への直線移動が可能となったことにより、帆走範囲を楕円形から円形、さらには横長へと拡げることができる。また、前記連結テグス４６の中間に縒り戻し金具４９が取付けられているのは勿論である。
【符号の説明】
【００４０】
１０  水上帆走玩具
１１  プール
１２  帆走体
１３  船体
１４  舳先部
１５  喫水線
１６  糸留具
１７  メインセール
１８  ジブセール
１９  ブーム
２０  ラダー
２１  テイラー
２３  連結部材
２７  支持錘
２８  糸環部
３０  連結テグス
３１  縒り戻し金具
３４  制御部
３５  支持軸
３６  固定片
３８  可動片
４０  係止ピン
４１  ばね
４３  水上帆走玩具
４５  支持錘
４６  糸環部
４８  第１遊動テグス
４９  連結テグス
５２  遊動金具
５３  第２遊動テグス
【図１】
0003164488.tif 000003
【図２】
0003164488.tif 000004
【図３】
0003164488.tif 000005
【図４】
0003164488.tif 000006
【図５】
0003164488.tif 000007
【図６】
0003164488.tif 000008
【図７】
0003164488.tif 000009
【図８】
0003164488.tif 000010
【図９】
0003164488.tif 000011